(57)【要約】  【課題】両足の動きを適宜に拘束することにより、バックスイングの時には両膝の高さを維持しつつ上半身を十分に捻ることができた上で、バックスイングからインパクトおよびフォロースルーにかけての理想的なスイングをスムーズに行うことができ、また、そのスイングの体得も比較的簡単に行え、さらには、着脱性にも優れるといった高機能なゴルフスイングサポート具を提供する。  【解決手段】ゴルフプレーヤＰの両足Ｐ１、Ｐ２に装着して使用するものであって、前記両足Ｐ１、Ｐ２のうち軸足Ｐ１の膝Ｐ１ａ部分にその膝Ｐ１ａ部分を圧迫しながら装着する伸縮可能な軸足膝用装着部１と、両膝Ｐ１ａ、Ｐ２ａを合い寄る向きに引寄せる伸縮可能な両膝引寄せ部２と、軸足Ｐ１の膝Ｐ１ａ部分と反軸足Ｐ２の足首Ｐ２ｂとを合い寄る向きに引き寄せる伸縮可能な膝足首引寄せ部３とを具備するようにした。【選択図】図１
2005224642.tif 000002
【特許請求の範囲】
【請求項１】
ゴルフプレーヤの両足に装着して使用するものであって、
前記両足のうち軸足の膝部分にその膝部分を圧迫しながら装着する伸縮可能な軸足膝用装着部と、両膝を合い寄る向きに引寄せる伸縮可能な両膝引寄せ部と、軸足の膝部分と反軸足の足首とを合い寄る向きに引き寄せる伸縮可能な膝足首引寄せ部とを具備することを特徴とするゴルフスイングサポート具。
【請求項２】
前記両膝引寄せ部が、両足の膝頭直下間または直上間で水平を成すように、両足に対して装着するものであることを特徴とする請求項１記載のゴルフスイングサポート具。
【請求項３】
前記両膝引寄せ部が、少なくともその一部に、装着用の面ファスナを備えていることを特徴とする請求項１または２記載のゴルフスイングサポート具。
【請求項４】
前記軸足膝用装着部が、膝の屈曲運動を妨げる屈曲抵抗を有するものであることを特徴とする請求項１乃至３いずれか記載のゴルフスイングサポート具。
【請求項５】
前記軸足膝用装着部が、装着用の面ファスナを備えていることを特徴とする請求項１乃至４いずれか記載のゴルフスイングサポート具。
【請求項６】
前記膝足首引寄せ部が、少なくともその一部に、足首に係止される略環状の被係止部を備えていることを特徴とする請求項１乃至５いずれか記載のゴルフスイングサポート具。
【請求項７】
前記膝足首引寄せ部が、装着用の面ファスナを備えていることを特徴とする請求項１乃至６いずれか記載のゴルフスイングサポート具。
【請求項８】
前記両膝引寄せ部及び膝足首引寄せ部が、共通の帯状部材を利用して形成したものであることを特徴とする請求項１乃至７いずれか記載のゴルフスイングサポート具。
【発明の詳細な説明】
【技術分野】
【０００１】
本発明は、ゴルフプレーヤの両足に装着して使用するゴルフスイングサポート具に関するものである。
【背景技術】
【０００２】
従来から、理想的なフォームでゴルフのスイングができるように、ゴルフプレーヤの上半身及び下半身に装着して使用するゴルフ用練習具（例えば、特許文献１参照。）や、足に装着して使用するゴルフ練習具（例えば、特許文献２。）、上半身に装着して使用するゴルフ用スイング矯正具（例えば、特許文献３参照。）が提供されている。
【特許文献１】実開平６−５６６３号公報
【特許文献２】特表２００２−５２８２３９号公報
【特許文献３】特開平９−１３１４２４号公報
【発明の開示】
【発明が解決しようとする課題】
【０００３】
ところが、従来の技術は、特許文献１記載の構成では、上半身と下半身との動作を総合的に拘束しているため、場合によってはスイングをスムーズに行えず、また、その装着に手間が掛かるといった問題点を有している。
【０００４】
また、特許文献２の構成では、スイング中における膝の角度を各足毎に好適に保てるものの、両足間を拘束していないため、両足が理想的な動きと掛け離れてばらばらに動いてしまうといった問題点を有している。
【０００５】
また、特許文献３の構成では、腕の動きを理想的なものとすることには有用であるものの、両足の動きについてはなんら改善をするものではない。
【０００６】
本発明は、このような課題に着目してなされたものであって、主たる目的は、両足の動きを適宜に拘束することにより、バックスイングの時には両膝の高さを維持しつつ上半身を十分に捻ることができた上で、バックスイングからインパクトおよびフォロースルーにかけての理想的なスイングをスムーズに行うことができ、また、そのスイングの体得も比較的簡単に行え、さらには、着脱性にも優れるといった高機能なゴルフスイングサポート具を提供することにある。
【課題を解決するための手段】
【０００７】
すなわち、本発明のゴルフスイングサポート具は、ゴルフプレーヤの両足に装着して使用するものであって、前記両足のうち軸足の膝部分にその膝部分を圧迫しながら装着する伸縮可能な軸足膝用装着部と、両膝を合い寄る向きに引寄せる伸縮可能な両膝引寄せ部と、軸足の膝部分と反軸足の足首とを合い寄る向きに引き寄せる伸縮可能な膝足首引寄せ部とを具備することを特徴とする。
【０００８】
ここで、「軸足」とは、ゴルフプレーヤが「右打ち」の場合は「左足」を指し、「左打ち」の場合は「右足」を指すものとする。
【０００９】
このようなものであれば、アドレス時には、軸足膝用装着部が、軸足の膝部分を圧迫しているため、プレーヤの意識は自然とこの軸足の膝部分に注意を引かれる。そして、プレーヤがバックスイングをする際に、この軸足がスウェーしないように集中してスイングを始めると、両膝引寄せ部が、両膝を合い寄る向きに引寄せるため、反軸足がスウェーして必要な力が外側に逃げてしまうといった不具合を生じることなくバックスイングを行える。このとき、軸足膝用装着部が、軸足の膝部分を圧迫し続けているので、プレーヤの意識は自ずと軸足に集中し、軸足がスウェーしないように初めの位置に好適に保つことができ、且つ、両膝引寄せ部によって、反軸足もスウェーすることを確実に防ぐことができる。
【００１０】
そして、上半身の捻転に伴って、軸足の膝が前方へ出る動きをすると、両膝引寄せ部と膝足首引寄せ部とが、軸足を反軸足側にそれぞれ引寄せるため、軸足の膝が前方へ出ることを好適に防止できる。また、その上半身の捻転に伴って、反軸足の膝が後方へ引込む動きをしても、両膝引寄せ部と膝足首引寄せ部とが、反軸足を軸足側にそれぞれ引寄せるため、反軸足の膝が後方へ引込むことを好適に防止できる。
【００１１】
このように、プレーヤは、アドレスからトップにかけて、単に軸足を意識するだけで、スウェー等の問題を生じず、十分な上半身の捻転を得られる理想的なスイングを行うことができる。
【００１２】
また、トップ時において、軸足膝用装着部は、アドレス時に引き続き、軸足の膝部分を圧迫しているため、プレーヤの意識は自然とこの軸足の膝部分に注意を引かれる。したがって、トップからフォローにかけても、特段に新たな意識を加えること（例えば、反軸足から軸足に重心を移動させることなど）など無く、重心を軸足に載せていきながら軸回転するといった理想的なスイングを容易に行うことができる。
【００１３】
しかも、フォロー動作に伴って、重心が軸足側にほとんど移動すると、両膝引寄せ部は、両膝の高さ関係を好適に維持しながら、反軸足を軸足側へ引寄せるため、重心を軸足に載せていきながら軸回転するといった動作を、スムーズに行うことができる。また、このとき、膝足首引寄せ部も、反軸足を軸足側へ引寄せるため、反軸足側に重心が残ってしまうといった不具合を好適に防止することができる。
【００１４】
さらに、各部を伸縮性があるようにしているため、両足を適宜拘束することもでき、且つ、装着および取り外しも容易に行うことができる。
【００１５】
特に、軸足膝用装着部は、軸足の膝部分を圧迫するものであるので、これを取り外した場合でも、装着していたときの感覚などが残る。したがって、例えば、ラウンドの際に当該ゴルフスイングサポート具を装着していなくとも、このゴルフスイングサポート具により体得した軸足を意識したスイングを有効に行うことができる。
【００１６】
すなわち、両足の動きを適宜に拘束することにより、バックスイングの時には両膝の高さを維持しつつ上半身を十分に捻ることができた上で、バックスイングからインパクトおよびフォロースルーにかけての理想的なスイングをスムーズに行うことができ、また、そのスイングの体得も比較的簡単に行え、さらには、着脱性にも優れるといった高機能なゴルフスイングサポート具を提供することができる。
【００１７】
なお、スイング中に両膝の高さ位置をより一定して保つためには、前記両膝引寄せ部が、両足の膝頭直下間または直上間で水平を成すように、両足に対して装着するものであることが好ましい。
【００１８】
ここで、「膝頭直下」とは、いわゆるお皿のすぐ下側（つま先側）部分を指し、また、「膝頭直上」とは、いわゆるお皿のすぐ上側（腰側）部分を指すものとする。
【００１９】
前記両膝引寄せ部が、少なくともその一部に、装着用の面ファスナを備えているのであれば、面ファスナによって、両膝引寄せ部による両足間の引寄せ力を簡単に調節できるので、プレーヤの体格の個人差などに容易に対応することができる。
【００２０】
スイング中などの無用な上下動を防止するには、前記軸足膝用装着部が、膝の屈曲運動を妨げる屈曲抵抗を有するものであることが望ましい。
【００２１】
前記軸足膝用装着部が、装着用の面ファスナを備えているのであれば、面ファスナによって、軸足膝用装着部の軸足への圧迫力を調節できるので、プレーヤが軸足へ意識を集中することを容易に促すことができる。
【００２２】
膝足首引寄せ部を足首に対して容易に装着するには、前記膝足首引寄せ部が、少なくともその一部に、足首に係止される略環状の被係止部を備えていることが好ましい。
【００２３】
前記膝足首引寄せ部が、装着用の面ファスナを備えているのであれば、面ファスナによって、膝足首引寄せ部による両足間の引寄せ力を簡単に調節できるので、プレーヤの体格の個人差などに容易に対応することができる。
【００２４】
前記両膝引寄せ部及び膝足首引寄せ部が、共通の帯状部材を利用して形成したものであれば、部材の共通化により、コストダウンを図れる。
【発明の効果】
【００２５】
以上説明したように本発明のゴルフスイングサポート具によれば、アドレス時には、軸足膝用装着部が、軸足の膝部分を圧迫しているため、プレーヤの意識は自然とこの軸足の膝部分に注意を引かれる。そして、プレーヤがバックスイングをする際に、この軸足がスウェーしないように集中してスイングを始めると、両膝引寄せ部が、両膝を合い寄る向きに引寄せるため、反軸足がスウェーして必要な力が外側に逃げてしまうといった不具合を生じることなくバックスイングを行える。このとき、軸足膝用装着部が、軸足の膝部分を圧迫し続けているので、プレーヤの意識は自ずと軸足に集中し、軸足がスウェーしないように初めの位置に好適に保つことができ、且つ、両膝引寄せ部によって、反軸足もスウェーすることを確実に防ぐことができる。
【００２６】
そして、上半身の捻転に伴って、軸足の膝が前方へ出る動きをすると、両膝引寄せ部と膝足首引寄せ部とが、軸足を反軸足側にそれぞれ引寄せるため、軸足の膝が前方へ出ることを好適に防止できる。また、その上半身の捻転に伴って、反軸足の膝が後方へ引込む動きをしても、両膝引寄せ部と膝足首引寄せ部とが、反軸足を軸足側にそれぞれ引寄せるため、反軸足の膝が後方へ引込むことを好適に防止できる。
【００２７】
このように、プレーヤは、アドレスからトップにかけて、単に軸足を意識するだけで、スウェー等の問題を生じず、十分な上半身の捻転を得られる理想的なスイングを行うことができる。
【００２８】
また、トップ時において、軸足膝用装着部は、アドレス時に引き続き、軸足の膝部分を圧迫しているため、プレーヤの意識は自然とこの軸足の膝部分に注意を引かれる。したがって、トップからフォローにかけても、特段に新たな意識を加えること（例えば、反軸足から軸足に重心を移動させることなど）など無く、重心を軸足に載せていきながら軸回転するといった理想的なスイングを容易に行うことができる。
【００２９】
しかも、フォロー動作に伴って、重心が軸足側にほとんど移動すると、両膝引寄せ部は、両膝の高さ関係を好適に維持しながら、反軸足を軸足側へ引寄せるため、重心を軸足に載せていきながら軸回転するといった動作を、スムーズに行うことができる。また、このとき、膝足首引寄せ部も、反軸足を軸足側へ引寄せるため、反軸足側に重心が残ってしまうといった不具合を好適に防止することができる。
【００３０】
さらに、各部を伸縮性があるようにしているため、両足を適宜拘束することもでき、且つ、装着および取り外しも容易に行うことができる。
【００３１】
特に、軸足膝用装着部は、軸足の膝部分を圧迫するものであるので、これを取り外した場合でも、装着していたときの感覚などが残る。したがって、例えば、ラウンドの際に当該ゴルフスイングサポート具を装着していなくとも、このゴルフスイングサポート具により体得した軸足を意識したスイングを有効に行うことができる。
【００３２】
すなわち、両足の動きを適宜に拘束することにより、バックスイングの時には両膝の高さを維持しつつ上半身を十分に捻ることができた上で、バックスイングからインパクトおよびフォロースルーにかけての理想的なスイングをスムーズに行うことができ、また、そのスイングの体得も比較的簡単に行え、さらには、着脱性にも優れるといった高機能なゴルフスイングサポート具を提供することができる。
【発明を実施するための最良の形態】
【００３３】
以下、本発明の一実施形態を、図面を参照して説明する。
【００３４】
本発明の一実施形態におけるゴルフスイングサポート具Ａは、図１等に示すように、ゴルフプレーヤＰの両足Ｐ１、Ｐ２に装着して使用するものであって、両足Ｐ１、Ｐ２のうち軸足Ｐ１の膝Ｐ１ａ部分にその膝Ｐ１ａ部分を圧迫しながら装着する伸縮可能な軸足膝用装着部１と、両膝Ｐ１ａ、Ｐ２ａを合い寄る向きに引寄せる伸縮可能な両膝引寄せ部２と、軸足Ｐ１の膝Ｐ１ａ部分と反軸足Ｐ２の足首Ｐ２ｂとを合い寄る向きに引き寄せる伸縮可能な膝足首引寄せ部３とを具備して成るものである。以下、各部を具体的に説明する。
【００３５】
軸足膝用装着部１は、図４等に示すように、いわゆるラップタイプと呼ばれる巻き付け式のものであって、膝Ｐ１ａ部の周囲に最初に巻き付けて使用する平面視略逆Ｚ字状の軸足膝用装着部本体１１と、巻き付けたその軸足膝用装着部本体１１の上からさらに膝Ｐ１ａ部の周囲に巻き付けて使用する左右一対の軸足膝用装着部ベルト部１２とを具備するものである。
【００３６】
より具体的に、軸足膝用装着部本体１１は、装着した際に膝Ｐ１ａ上から膝Ｐ１ａ下までを覆い得る縦寸法と膝Ｐ１ａ部分を略一周強巻き得る横寸法とを有する平面視縦長略矩形状の第1巻き付け要素１１１と、この第1巻き付け要素１１１の側端部から連続して伸び且つその第1巻き付け要素１１１の縦寸法の略半分の縦寸法を有する左右一対の第２巻き付け要素１１２とを、伸縮性のある素材（例えば、ネオプレン素材の両面にナイロン素材を配した三層構造のもの）により一体に形成して成るに加え、さらに第２巻き付け要素１１２の先端部の装着側には、この第２巻き付け要素１１２を第1巻き付け要素１１１の表面に係止するための面ファスナ１１３を備えるようにしている。なお、本実施形態では、第1巻き付け要素１１１の略中央部に厚み方向に貫通する平面視略丸孔状の貫通窓１１１ａを形成し、この貫通窓１１１ａから膝頭Ｐ１ａ１の一部または全部を露出し得るように構成している。また、この第1巻き付け要素１１１の裏面側（装着側）には、貫通窓１１１ａの周縁部と対応させて略環状のクッション部１１１ｂを設けている。さらに、本実施形態では、軸足膝用装着部本体１１を膝Ｐ１ａ上から膝Ｐ１ａ下までを圧迫しながら装着することで、この軸足膝用装着部本体１１が膝Ｐ１ａの屈曲運動を妨げる屈曲抵抗を有するようにしているが、これに限らず、膝Ｐ１ａの屈曲運動をより積極的に妨げる屈曲抵抗を有する例えば針金状の金属部材や薄板状のプラスティック部材などを、当該軸足膝用装着部本体１１に装備するようにしてもよい。
【００３７】
軸足膝用装着部ベルト部１２は、軸足Ｐ１の膝Ｐ１ａ部分を２周するに略十分な長手寸法を有する略帯状の軸足膝用装着部ベルト部本体１２１と、この軸足膝用装着部ベルト部本体１２１の先端部の装着側に設けられ当該軸足膝用装着部ベルト部本体１２１の表面に係止するための面ファスナ１２２と、軸足膝用装着部ベルト部本体１２１の基端部に設けられ略角リング状の止め具１２３とを具備して成る。
【００３８】
両膝引寄せ部２は、両膝Ｐ１ａ、Ｐ２ａ外側同士を一巻きするに十分な長さ寸法を有する略帯状のものであって、その一端部の装着側に、当該両膝引寄せ部２のいずれかの部分に係止されるための面ファスナ２１を備えて成る。本実施形態では、この両膝引寄せ部２と後述する膝足首引寄せ部３とを、例えば、ポリウレタンやポリエステルなどの合成繊維を編み込むことで、その長手方向に伸縮性を有するようにした、共通の帯状部材から形成するようにしているが、その素材や形状は適宜変更可能である。
【００３９】
膝足首引寄せ部３は、軸足Ｐ１の膝Ｐ１ａと反軸足Ｐ２の足首Ｐ２ｂとを一巻きするに十分な長さ寸法を有する略帯状のものであって、その一端部に、つま先をくぐらせた後、足首Ｐ２ｂに係止される略環状の被係止部３１を備えて成るとともに、その他端部の装着側に、当該膝足首引寄せ部３のいずれかの部分に係止されるための面ファスナ（図示せず）を備えて成る。
【００４０】
次に、本実施形態のゴルフスイングサポート具Ａの使用方法について説明する。
【００４１】
（１）ゴルフスイングサポート具Ａの装着方法。
【００４２】
まず、軸足膝用装着部１の装着を行う。このとき、第２巻き付け要素１１２の面ファスナ１１３、及び、軸足膝用装着部ベルト部１２の面ファスナ１２２により、軸足膝用装着部１の軸足Ｐ１への圧迫力を調節して、プレーヤＰが軸足Ｐ１へ意識を集中することを容易に変化させることができる。
【００４３】
次に、両膝引寄せ部２を、両足Ｐ１、Ｐ２の膝頭Ｐ１ａ１、Ｐ２ａ１直上間で水平を成すように、両足Ｐ１、Ｐ２に対して装着する。このとき、両膝引寄せ部２の面ファスナ２１により、両膝引寄せ部２の両足Ｐ１、Ｐ２間への引寄せ力を簡単に調節できるので、プレーヤＰの体格の個人差などに容易に対応することができる。
【００４４】
そして、膝足首引寄せ部３を、両足Ｐ１、Ｐ２間に正面から見て斜めになるように装着する。具体的には、膝足首引寄せ部３の被係止部３１を、反軸足Ｐ２のつま先をくぐらせた後、足首Ｐ２ｂに係止させ、さらにこの膝足首引寄せ部３の面ファスナ（図示せず）側を軸足Ｐ１の膝Ｐ１ａ下でＵターンさせ、反軸足Ｐ２の足首Ｐ２ｂ近傍に折り返してきた膝足首引寄せ部３の面ファスナ（図示せず）を利用して、その足首Ｐ２ｂ近傍にある当該膝足首引寄せ部３に取り付ける。このとき、膝足首引寄せ部３の面ファスナ（図示せず）によって、膝足首引寄せ部３による両足Ｐ１、Ｐ２間の引寄せ力を簡単に調節できるので、プレーヤＰの体格の個人差などに容易に対応することができる。
【００４５】
（２）スイング時のゴルフスイングサポート具Ａの作用。
【００４６】
上述のようにして装着したゴルフスイングサポート具Ａは、スイング時のプレーヤＰに対して次のような作用をする。
【００４７】
ｉ）アドレスからトップまで
図１に示すアドレス時では、軸足膝用装着部１が、軸足Ｐ１の膝Ｐ１ａ部分を圧迫しているため、プレーヤＰの意識は自然とこの軸足Ｐ１の膝Ｐ１ａ部分に向けられる。すなわち、この膝Ｐ１ａ部分を容易に意識することができる。そして、プレーヤＰがバックスイングをする際に、この軸足Ｐ１がスウェーしないように集中してスイングを始めると、両膝引寄せ部２が、両膝Ｐ１ａ、Ｐ２ａを合い寄る向きに引寄せるため、反軸足Ｐ２がスウェーして必要な力が外側に逃げてしまうといった不具合を生じることなくバックスイングを行える。このとき、軸足膝用装着部１が、軸足Ｐ１の膝Ｐ１ａ部分を圧迫し続けているので、プレーヤＰの意識は自ずと軸足Ｐ１に集中し、軸足Ｐ１がスウェーしないように初めの位置に好適に保つことができ、且つ、両膝引寄せ部２によって、反軸足Ｐ２もスウェーすることを確実に防ぐことができる。
【００４８】
また、軸足膝用装着部１は、軸足Ｐ１の膝Ｐ１ａの屈曲運動を妨げる屈曲抵抗を有しているので、図２に示すトップ時に軸足Ｐ１の膝Ｐ１ａが伸びてしまうことを防止することができる。このとき、反軸足Ｐ２の膝Ｐ２ａが伸びる動きをしても、両膝引寄せ部２が反軸足Ｐ２を軸足Ｐ１側に引寄せるため、反軸足Ｐ２の膝Ｐ２ａが伸びることを防止して、両膝Ｐ１ａ、Ｐ２ａの高さ関係を、好適に維持することができる。
【００４９】
また、上半身の捻転に伴って、軸足Ｐ１の膝Ｐ１ａが前方へ出る動きをすると、両膝引寄せ部２と膝足首引寄せ部３とが、軸足Ｐ１を反軸足Ｐ２側にそれぞれ引寄せるため、軸足Ｐ１の膝Ｐ１ａが前方へ出ることを好適に防止できる。また、その上半身の捻転に伴って、反軸足Ｐ２の膝Ｐ２ａが後方へ引込む動きをしても、両膝引寄せ部２と膝足首引寄せ部３とが、反軸足Ｐ２を軸足Ｐ１側にそれぞれ引寄せるため、反軸足Ｐ２の膝Ｐ２ａが後方へ引込むことを好適に防止できる。
【００５０】
このように、プレーヤＰは、アドレスからトップにかけて、単に軸足Ｐ１を意識するだけで、スウェー等の問題を生じず、十分な上半身の捻転を得られる理想的なスイングを行うことができる。
【００５１】
ｉｉ）トップからフォローまで
一般に、トップからフォローにかけては、（ａ）重心を軸足Ｐ１に載せていきながら軸回転すること、及び、（ｂ）両膝Ｐ１ａ、Ｐ２ａの高さを略一定に保ちながらスイングすること、が理想的なスイングをするための重要なポイントの一つであるとされている。
【００５２】
ここで、図２示すトップ時において、軸足膝用装着部１は、アドレス時に引き続き、軸足Ｐ１の膝Ｐ１ａ部分を圧迫しているため、プレーヤＰの意識は自然とこの軸足Ｐ１の膝Ｐ１ａ部分に向けられる。したがって、図２に示すトップから図３に示すフォローにかけても、特段に新たな意識を加えること（例えば、反軸足Ｐ２から軸足Ｐ１に重心を移動させることなど）など無く、重心を軸足Ｐ１に載せていきながら軸回転するといった理想的なスイングを容易に行うことができる。
【００５３】
しかも、フォロー動作に伴って、重心が軸足Ｐ１側にほとんど移動すると、両膝引寄せ部２は、両膝Ｐ１ａ、Ｐ２ａの高さ関係を好適に維持しながら、反軸足Ｐ２を軸足Ｐ１側へ引寄せるため、重心を軸足Ｐ１に載せていきながら軸回転するといった動作を、スムーズに行うことができる。また、このとき、膝足首引寄せ部３も、反軸足Ｐ２を軸足Ｐ１側へ引寄せるため、反軸足Ｐ２側に重心が残ってしまうといった不具合を好適に防止することができる。
【００５４】
すなわち、トップからフォローにかけて、（ａ）重心を軸足Ｐ１に載せていきながら軸回転し、且つ、（ｂ）両膝Ｐ１ａ、Ｐ２ａの高さを略一定に保ちながらスイングする、といった理想的なスイングを行うことができる。
【００５５】
このように、本実施形態に係るゴルフスイングサポート具Ａは、軸足膝用装着部１と、両膝引寄せ部２と、膝足首引寄せ部３とによって、両足Ｐ１、Ｐ２の動きを適宜に拘束することにより、バックスイングの時には両膝Ｐ１ａ、Ｐ２ａの高さを維持しつつ上半身を十分に捻ることができた上で、バックスイングからインパクトおよびフォロースルーにかけての理想的なスイングをスムーズに行うことができ、また、そのスイングの体得も比較的簡単に行え、さらには、着脱性にも優れるといった高機能なゴルフスイングサポート具Ａを実現することができる。
【００５６】
なお、両膝引寄せ部２が、両足Ｐ１、Ｐ２の膝頭Ｐ１ａ１、Ｐ２ａ１直上間で水平を成すように、両足Ｐ１、Ｐ２に対して装着するものであるため、スイング中に両膝Ｐ１ａ、Ｐ２ａの高さ位置をより一定して保つことができる。
【００５７】
両膝引寄せ部２が、装着用の面ファスナ２１を備えているため、その面ファスナ２１によって、両膝引寄せ部２による両足Ｐ１、Ｐ２間の引寄せ力を簡単に調節できる、プレーヤＰの体格の個人差などに容易に対応することができる。
【００５８】
軸足膝用装着部１が、膝Ｐ１ａの屈曲運動を妨げる屈曲抵抗を有するものであるため、スイング中などの無用な上下動を防止することができる。
【００５９】
軸足膝用装着部１が、装着用の面ファスナ１１３、１２２を備えているため、その面ファスナ１１３、１２２によって、軸足膝用装着部１の軸足Ｐ１への圧迫力を調節でき、プレーヤＰが軸足Ｐ１へ意識を集中することを容易に促すことができる。
【００６０】
膝足首引寄せ部３が、足首Ｐ２ｂに係止される略環状の被係止部３１を備えているため、膝足首引寄せ部３を足首Ｐ２ｂに対して容易に装着することができる。
【００６１】
膝足首引寄せ部３が、装着用の面ファスナ（図示せず）を備えているため、その面ファスナによって、膝足首引寄せ部３による両足Ｐ１、Ｐ２間の引寄せ力を簡単に調節でき、プレーヤＰの体格の個人差などに容易に対応することができる。
【００６２】
両膝引寄せ部２及び膝足首引寄せ部３が、共通の帯状部材を利用して形成したものであるため、部材の共通化により、コストダウンを図れる。
【００６３】
なお、本発明は、以上に詳述した実施形態に限られるものではない。
【００６４】
例えば、軸足膝用装着部１に、いわゆるラップタイプと呼ばれる巻き付け式のものを用いているが、いわゆるスリーブタイプと呼ばれる巻き上げ式のものを用いることもできる。
【００６５】
また、軸足膝用装着部１の構成も本実施形態のものに限られない。例えば、軸足膝用装着部１が、軸足膝用装着部ベルト部１２を備えるようにしているが、この軸足膝用装着部ベルト部１２を備えないように構成することもできる。この場合には、軸足膝用装着部本体１１のみを膝Ｐ１ａ部の周囲に巻き付けて使用するようにすればよい。
【００６６】
また、両膝引寄せ部２を、両膝Ｐ１ａ、Ｐ２ａの膝頭Ｐ１ａ１、Ｐ２ａ１の直上に横架させているが、膝頭Ｐ１ａ１、Ｐ２ａ１の直下に横架させてもよい。
【００６７】
また、両膝引寄せ部２と膝足首引寄せ部３とを、それぞれ略環状のものとしても良い。
【００６８】
また、両膝引寄せ部２と膝足首引寄せ部３とに、共通の帯状部材を用いているが、共通のものでなくても良い。
【００６９】
また、膝足首引寄せ部３を装着してから両膝引寄せ部２を装着するようにしているが、これら膝足首引寄せ部３と両膝引寄せ部２との取付順序は、前後不問である。
【００７０】
また、両膝引寄せ部２と膝足首引寄せ部３とを別々のものとしているが、これらを一体のものとすることを妨げない。
【００７１】
また、膝足首引寄せ部３の被係止部３１を、足首Ｐ２ｂに係止するようにしているが、例えば、足の甲から足の裏にかけて係止するなど、足首Ｐ２ｂよりつま先側であれば、係止する場所はこれに限られない。また、ズボンの裾や靴の一部などに係止させても良い。
【００７２】
その他、各部の具体的構成についても上記実施形態に限られるものではなく、本発明の趣旨を逸脱しない範囲で種々変形が可能である。
【図面の簡単な説明】
【００７３】
【図１】本発明の一実施形態におけるゴルフスイングサポート具を装着した図（アドレス時）。
【図２】同実施形態におけるゴルフスイングサポート具を装着した図（トップ時）。
【図３】同実施形態におけるゴルフスイングサポート具を装着した図（フォロー時）。
【図４】同実施形態における軸足膝用装着部を広げて示す図。
【符号の説明】
【００７４】
Ａ・・・・・・ゴルフスイングサポート具
Ｐ・・・・・・ゴルフプレーヤ
Ｐ１・・・・・軸足
Ｐ１ａ・・・・膝
Ｐ１ａ１・・・膝頭
Ｐ２・・・・・反軸足
Ｐ２ａ・・・・膝
Ｐ２ａ１・・・膝頭
Ｐ２ｂ・・・・足首
１・・・・・・軸足膝用装着部
２・・・・・・両膝引寄せ部
３・・・・・・膝足首引寄せ部
２１・・・・・面ファスナ
３１・・・・・被係止部
１１３・・・・面ファスナ
１２２・・・・面ファスナ
【図１】
2005224642.tif 000003
【図２】
2005224642.tif 000004
【図３】
2005224642.tif 000005
【図４】
2005224642.tif 000006